(57)【特許請求の範囲】
【請求項１】
Ｗｅｂブラウザが第１Ｗｅｂページを要求する際、映像コンテンツに含まれる複数の区間毎の、その内容に関する複数の情報を取得する第１取得部と、
前記要求に応じて返信された前記第１Ｗｅｂページを取得する第２取得部と、
前記複数の情報の中で、前記第１Ｗｅｂページに含まれる複数の第１文字列に関連する文字列をキーワードとして、該キーワードのリストを表示する表示制御部と、
前記キーワードのリストのうちの１つが選択される場合に、その選択されるキーワードを用いて、映像コンテンツに含まれる複数の区間の中から少なくとも１つの第１区間を検索するための要求を出力する出力部と、
検索するための要求により得られる少なくとも１つの第１区間を再生させる要求を出力する再生制御部とを備えることを特徴とする電子機器。
【請求項２】
前記表示制御部は、前記検索するための要求により得られる少なくとも１つの第１区間の内容に関する情報のリストを表示し、
前記再生制御部は、前記少なくとも１つの第１区間の内容に関する情報のリストのうちの１つが選択される場合に、その選択される情報に対応する第１区間を再生させる要求をすることを特徴とする請求項１に記載の電子機器。
【請求項３】
前記第１区間毎の、その内容に関する複数の情報は、前記第１区間に関する第１ＵＲＬを含み、
前記表示制御部は、再生された前記第１区間の内容に関する前記第１ＵＲＬを含む情報を表示し、
前記第２取得部は、表示された前記第１ＵＲＬが選択される場合に、該第１ＵＲＬを用いて第２Ｗｅｂページを取得することを特徴とする請求項１または請求項２に記載の電子機器。
【請求項４】
前記表示制御部は、前記映像コンテンツに含まれる複数の区間毎の、その内容に関する複数の情報の中で、前記第２取得部が取得した前記第２Ｗｅｂページに含まれる複数の第２文字列に関連する文字列をキーワードとして、該キーワードのリストを表示し、
前記出力部は、前記キーワードのリストのうちの１つが選択される場合に、その選択されるキーワードを用いて、映像コンテンツに含まれる複数の区間の中から少なくとも１つの第１区間を検索するための要求を出力し、
前記再生制御部は、前記検索するための要求により得られる少なくとも１つの第１区間を再生させる要求を出力することを特徴とする請求項３に記載の電子機器。
【請求項５】
前記映像コンテンツに含まれる一区間についての情報は、前記映像コンテンツの一区間に関連する商品についての情報を含むことを特徴とする請求項１乃至４のいずれか１項に記載の電子機器。
【請求項６】
前記表示制御部の制御に従って、前記リストを表示するディスプレイをさらに備えることを特徴とする請求項１乃至５のいずれか１項に記載の電子機器。
【請求項７】
電子装置で実行されるコンテンツ再生方法であって、
第１取得部が、Ｗｅｂブラウザが第１Ｗｅｂページを要求する際、映像コンテンツに含まれる複数の区間毎の、その内容に関する複数の情報を取得する工程と、
第２取得部が、前記要求に応じて返信された前記第１Ｗｅｂページを取得する工程と、
表示制御部が、前記複数の情報の中で、前記第１Ｗｅｂページに含まれる複数の第１文字列に関連する文字列をキーワードとして、該キーワードのリストを表示する工程と、
出力部が、前記キーワードのリストのうちの１つが選択される場合に、その選択されるキーワードを用いて、映像コンテンツに含まれる複数の区間の中から少なくとも１つの第１区間を検索するための要求を出力する工程と、
再生制御部が、検索するための要求により得られる少なくとも１つの第１区間を再生させる要求を出力する工程と、
を含むことを特徴とするコンテンツ再生方法。
【請求項８】
前記表示制御部が、前記検索するための要求により得られる少なくとも１つの第１区間の内容に関する情報のリストを表示する工程と、
前記再生制御部が、前記少なくとも１つの第１区間の内容に関する情報のリストのうちの１つが選択される場合に、その選択される情報に対応する第１区間を再生させる要求をする工程と、を含むことを特徴とする請求項７に記載のコンテンツ再生方法。
【請求項９】
前記第１区間毎の、その内容に関する複数の情報は、前記第１区間に関する第１ＵＲＬを含み、
前記表示制御部が、再生された前記第１区間の内容に関する前記第１ＵＲＬを含む情報を表示する工程と、
前記第２取得部が、表示された前記第１ＵＲＬが選択される場合に、該第１ＵＲＬを用いて第２Ｗｅｂページを取得する工程と、を含むことを特徴とする請求項７または請求項８に記載のコンテンツ再生方法。
【請求項１０】
前記表示制御部が、前記映像コンテンツに含まれる複数の区間毎の、その内容に関する複数の情報の中で、前記第２取得部が取得した前記第２Ｗｅｂページに含まれる複数の第２文字列に関連する文字列をキーワードとして、該キーワードのリストを表示する工程と、
前記出力部が、前記キーワードのリストのうちの１つが選択される場合に、その選択されるキーワードを用いて、映像コンテンツに含まれる複数の区間の中から少なくとも１つの第１区間を検索するための要求を出力する工程と、
前記再生制御部が、前記検索するための要求により得られる少なくとも１つの第１区間を再生させる要求を出力する工程と、を含むことを特徴とする請求項９に記載のコンテンツ再生方法。
【請求項１１】
映像コンテンツに含まれる一区間についての情報は、映像コンテンツの一区間に関連する商品についての情報を含むことを特徴とする請求項７乃至１０のいずれか１項に記載のコンテンツ再生方法。
【請求項１２】
前記電子装置は、前記表示制御部の制御に従って、前記リストを表示するディスプレイをさらに備えるものであることを特徴とする請求項７乃至１１のいずれか１項に記載のコンテンツ再生方法。
【請求項１３】
コンピュータを、
Ｗｅｂブラウザが第１Ｗｅｂページを要求する際、映像コンテンツに含まれる複数の区間毎の、その内容に関する複数の情報を取得する第１取得部と、
前記要求に応じて返信された第１Ｗｅｂページを取得する第２取得部と、
前記複数の情報の中で、前記第１Ｗｅｂページに含まれる複数の第１文字列に関連する文字列をキーワードとして、該キーワードのリストを表示する表示制御部と、
前記キーワードのリストのうちの１つが選択される場合に、その選択されるキーワードを用いて、映像コンテンツに含まれる複数の区間の中から少なくとも１つの第１区間を検索するための要求を出力する出力部と、
検索するための要求により得られる少なくとも１つの第１区間を再生させる要求を出力する再生制御部と、
して機能させるためのプログラム。
【請求項１４】
前記コンピュータを、
前記表示制御部として、前記検索するための要求により得られる少なくとも１つの第１区間の内容に関する情報のリストを表示するように、
前記再生制御部として、前記少なくとも１つの第１区間の内容に関する情報のリストのうちの１つが選択される場合に、その選択される情報に対応する第１区間を再生させる要求をするように、機能させることを特徴とする請求項１３に記載のプログラム。
【請求項１５】
前記第１区間毎の、その内容に関する複数の情報は、前記第１区間に関する第１ＵＲＬを含み、
前記コンピュータを、
前記表示制御部として、再生された前記第１区間の内容に関する前記第１ＵＲＬを含む情報を表示するように、
前記第２取得部として、表示された前記第１ＵＲＬが選択される場合に、該第１ＵＲＬを用いて第２Ｗｅｂページを取得するように、機能させることを特徴とする請求項１３または請求項１４に記載のプログラム。
【請求項１６】
前記コンピュータを、
前記表示制御部として、前記映像コンテンツに含まれる複数の区間毎の、その内容に関する複数の情報の中で、前記第２取得部が取得した前記第２Ｗｅｂページに含まれる複数の第２文字列に関連する文字列をキーワードとして、該キーワードのリストを表示するように、
前記出力部として、前記キーワードのリストのうちの１つが選択される場合に、その選択されるキーワードを用いて、映像コンテンツに含まれる複数の区間の中から少なくとも１つの第１区間を検索するための要求を出力するように、
前記再生制御部として、前記検索するための要求により得られる少なくとも１つの第１区間を再生させる要求を出力するように、機能させることを特徴とする請求項１５に記載のプログラム。
【請求項１７】
映像コンテンツに含まれる一区間についての情報は、映像コンテンツの一区間に関連する商品についての情報を含むことを特徴とする請求項１３乃至１６のいずれか１項に記載のプログラム。
【請求項１８】
前記コンピュータは、前記表示制御部の制御に従って、前記リストを表示するディスプレイをさらに備えるものであることを特徴とする請求項１３乃至１７のいずれか１項に記載のプログラム。
【発明の詳細な説明】
【技術分野】
【０００１】
本発明は、電子機器、コンテンツ再生方法、及びそのプログラムに関するものである。
【背景技術】
【０００２】
近年のＨＤＤレコーダの大容量化に伴い、ＨＤＤレコーダに蓄積した番組の中から見たい番組及び見たいシーンをすばやく見つけて効率よく視聴することがますます重要となり、より簡単な検索機能へのニーズは今後ますます高くなると考えられる。例えば、あるＨＤＤレコーダ製品では、録画タイトルのリスト表示において、番組タイトルと共に、サムネイル画像（静止画あるいは動画）を表示する機能や、タイトルリストをジャンル別、録画日付順などで並び替えを行う方法により、蓄積された番組を探しやすくする機能を搭載している。
【０００３】
また、番組を構成する話題ごとに、その話題の開始／終了の時間情報や話題の意味するところのテキスト情報を対として記述したメタデータを利用する放送受信装置なども知られている（例えば、下記特許文献１参照。）。このようなメタデータを利用すれば、検索用のキーワードを入力することにより、そのキーワードと合致する話題を含む番組を抽出し、自分の興味に関連する話題のシーンを探し出すといったことも可能になる。
【先行技術文献】
【特許文献】
【０００４】
【特許文献１】特開２００５−７２８２６号公報
【発明の概要】
【発明が解決しようとする課題】
【０００５】
しかしながら、メタデータを利用してユーザの興味に合う番組を適切に検索させるためには、いろいろな検索用キーワードを考え入力する手間が発生する。また、検索用キーワードの選択を適切に行うことが出来ない限り、このような機能を十分に使いこなすことは難しい。
【０００６】
そこで、本発明は、蓄積された映像コンテンツの中から、ユーザの興味に合うものに簡易にアクセス可能とする利便性が高い電子機器、コンテンツ再生方法、及びそのプログラムを提供することを目的とする。
【課題を解決するための手段】
【０００７】
本発明の電子機器は、Ｗｅｂブラウザが第１Ｗｅｂページを要求する際、映像コンテンツに含まれる複数の区間毎の、その内容に関する複数の情報を取得する第１取得部と、上記要求に応じて返信された第１Ｗｅｂページを取得する第２取得部と、複数の情報の中で、第１Ｗｅｂページに含まれる複数の第１文字列に関連する文字列をキーワードとして、このキーワードのリストを表示する表示制御部と、キーワードのリストのうちの１つが選択される場合に、その選択されるキーワードを用いて、映像コンテンツに含まれる複数の区間の中から少なくとも１つの第１区間を検索するための要求を出力する出力部と、検索するための要求により得られる少なくとも１つの第１区間を再生させる要求を出力する再生制御部とを備えることを特徴とする。 
【発明の効果】
【０００８】
本発明の電子機器、コンテンツ再生方法、及びそのプログラムによれば、蓄積された映像コンテンツの中から、ユーザの興味に合うものに簡易にアクセス可能であり、利便性を高めることができる。
【図面の簡単な説明】
【０００９】
【図１】本発明に係るＨＤＤレコーダを含む家庭内ネットワークの一実施形態を示す図である。
【図２】図１の家庭内ネットワークに関する各機器の機能構成を示す機能ブロック図である。
【図３】メタデータの一例を示す図である。
【図４】図１に示したＨＤＤレコーダのハードウエア構成を示すブロック図である。
【図５】図１に示したパーソナルコンピュータのハードウエア構成を示すブロック図である。
【図６】図１に示した家庭内ネットワークにおける各機器の処理を示すシーケンス図である。
【図７】図１に示した家庭内ネットワークにおける各機器の処理を示すシーケンス図である。
【図８】検索結果を一覧表示する画面の一例を示す図である。
【図９】再生中のコンテンツの関連情報を表示する画面の一例を示す図である。
【図１０】図１の家庭内ネットワークにおける情報の流れを示すブロック図である。
【発明を実施するための形態】
【００１０】
以下、図面を参照しつつ本発明に係る好適な実施形態について詳細に説明する。
【００１１】
図１及び図２に示すように、録画再生装置の一実施形態であるＨＤＤレコーダ１は、パーソナルコンピュータ１１に接続されている。そして、このＨＤＤレコーダ１及びコンピュータ１１の２つの機器によって家庭内ネットワークＮ１が構築されている。また、ＨＤＤレコーダ１及びコンピュータ１１が、それぞれインターネットＮ２に接続されることで、家庭内ネットワークＮ１が全体としてインターネットＮ２に接続されている。またＨＤＤレコーダ１には、ＡＶケーブルを介してテレビ９が接続されている。
【００１２】
ＨＤＤレコーダ１では、放送波で受信した番組（映像コンテンツ）がＨＤＤ３３（図３参照）に録画され、録画番組保存部（映像コンテンツ保存部）３が形成される。更にＨＤＤレコーダ１のＨＤＤ３３には、録画番組に含まれるチャプタ（映像コンテンツ）毎の諸情報を含むメタデータが保存され、メタデータ保存部５が形成される。更に、ＨＤＤレコーダ１は、種々の情報処理を行う制御部７を備えている。
【００１３】
図３に一例を示すように、上記メタデータには、番組タイトル名や話題の内容説明を示す文字情報が含まれている。なお、以下では、番組中の１つの「話題」毎に１つの「チャプタ」が割り当てられ、各チャプタ毎に１つのメタデータが対応するものとして説明する。メタデータの「関連情報」項目には、番組の当該チャプタの中で取り上げられた商品などの関連情報として、商品の情報（商品名、価格などの情報）や、店舗名、住所、電話番号、関連ＵＲＬなどの情報が記述される。
【００１４】
このようなメタデータを得るために、ＨＤＤレコーダ１は、受信可能な全放送局の各番組についてチャプタ単位のメタデータを、定期的にインターネットＮ２上のメタデータ提供サーバ５１から受信する。なお、コンピュータ１１がメタデータ提供サーバ５１からのメタデータを取得して、ＨＤＤレコーダ１に送信するようにしてもよい。また、メタデータ提供サーバ５１から得られるメタデータには、「抽出単語」項目（図３参照）のデータは含まれていないため、得られたメタデータの「チャプタ内容」項目のデータに対して、制御部７が単語抽出処理を行って適切な単語を抽出し、抽出された単語を「抽出単語」項目に保存するようにしている。この抽出処理には、例えば、形態素解析および意味クラス解析などが利用される。
【００１５】
コンピュータ１１は、機能的な構成要素として、Ｗｅｂ情報を閲覧するためのＷｅｂブラウザ１３及び種々の情報処理を行う情報処理部１５を備えている。この情報処理部１５は、インターネットＮ２上のＷＷＷサーバ５２との間の情報の授受を仲介するプロキシ部１５ａと、ＨＤＤレコーダ１との連携を図るための連携処理部１５ｂとを有している。
【００１６】
ここで、図４を参照し、ＨＤＤレコーダ１の具体的なハードウエア構成を説明する。ＨＤＤレコーダ１は、フロントエンド部２１、デジタルＴＶ用システムＬＳＩ２２、デジタル入力部２３、Ａ／Ｄコンバータ２４，２５、ゴーストリダクション部２６、三次元ＹＣ分離部２７、ＬＡＮ処理ＬＳＩ２８、コントローラＬＳＩ２９、フラッシュメモリ３０、ＳＤＲＡＭ３１、ＨＤＤ（ハードディスクドライブ）３３を備えている。
【００１７】
フロントエンド部２１は、デジタルチューナーモジュール２１ａ、２１ｂ、ＯＦＤＭ（Orthogonal  Frequency  Division  Multiplex）復調部２１ｃ、ＱＰＳＫ（QuadraturePhase  Shift  Keying）復調部２１ｄを備えている。システムＬＳＩ２２は、送受信回路２２ａ、ＭＰＥＧ２デコーダ２２ｂ、グラフィックエンジン２２ｃ、デジタルフォーマットコンバータ２２ｄ、及びＣＰＵ２２ｆを備えている。
【００１８】
上記構成において、地上デジタル放送波、ＢＳデジタル放送波、及び１１０°ＣＳデジタル放送波は、フロントエンド部２１で復調される。また地上アナログ放送波及びＤＶＤ／ＶＴＲ信号は、３次元ＹＣ分離部２７等でデコードされる。これらの信号は、システムＬＳＩ２２に入力され、送受信回路２２ａで、映像・音声・データに分離される。そして、映像に関しては、ＭＰＥＧ２デコーダ２２ｂを介してグラフィックエンジン２２ｃに映像情報が入力され、デジタルフォーマットコンバータ２２ｄを通じて外部に接続されたテレビ９に出力される。
【００１９】
このようなＨＤＤレコーダ１において、前述の制御部７（図２参照）は、ＣＰＵ２２ｆが所定のプログラムを実行し、ＣＰＵ２２ｆの制御下で上記各部２１〜３３を動作させることにより実現される機能的な構成要素である。また、前述の録画番組保存部３及びメタデータ保存部５は、ＨＤＤ３３に蓄積される電子情報として実現される機能的な構成要素である。
【００２０】
次に、図５を参照し、コンピュータ１１の具体的なハードウエア構成を説明する。コンピュータ１１は、ＣＰＵ４１、主記憶装置であるＲＡＭ４２及びＲＯＭ４３、ハードディスク等の補助記憶装置４５、入力デバイスであるキーボード及びマウス等の入力装置４６、ディスプレイ等の出力装置４７、ネットワークカード等のデータ送受信デバイスである通信モジュール４８などを備えている。
【００２１】
前述のＷｅｂブラウザ１３、プロキシ部１５ａ、及び連携処理部１５ｂといった機能的な構成要素は、このコンピュータ１１のＣＰＵ４１、ＲＡＭ４２等のハードウエア上にそれぞれ、Ｗｅｂブラウザプログラム、プロキシプログラム、及び連携処理プログラムといったコンピュータソフトウェアを読み込ませることにより、ＣＰＵ４１の制御のもとで通信モジュール４８、入力装置４６、出力装置４７を動作させるとともに、ＲＡＭ４２や補助記憶装置４５におけるデータの読み出し及び書き込みを行うことで実現される。
【００２２】
続いて、上記ＨＤＤレコーダ１とコンピュータ１１とが協働して行う処理について説明する。
【００２３】
図６に示すように、ユーザがコンピュータ１１を操作してＷｅｂブラウザ１３を起動させ、興味があるＷｅｂサイトにアクセスしようとすると、Ｗｅｂブラウザ１３は、Ｗｅｂページ要求をプロキシ部１５ａに送出する（Ｓ３０２）。そして、プロキシ部１５ａは、代理としてＷｅｂページ要求をＷＷＷサーバ５２に送信する（Ｓ２０２）。このとき、連携処理部１５ｂは、メタデータ要求をＨＤＤレコーダ１の制御部７に送信する（Ｓ４０２）。前述したように、ＨＤＤレコーダ１においては、事前にメタデータの「チャプタ内容」から単語が抽出され（Ｓ５０２）、「抽出単語」項目として保存されている。
【００２４】
そして、ＨＤＤレコーダ１の制御部７は、上記メタデータ要求に応じて、メタデータ保存部５を参照し、「抽出単語」項目に登録されている抽出単語を含むメタデータを連携処理部１５ｂに返信する（Ｓ５０４）。このように、制御部７は、連携処理部１５ｂからの要求に応じて、抽出単語を返信する手段として機能する。その後、連携処理部１５ｂは、受信した抽出単語を一時的に貯留部（キャッシュ）１５ｃに貯留する（Ｓ４０４）。
【００２５】
上記ＷＷＷサーバ５２は、プロキシ部１５ａからの上記Ｗｅｂページ要求に応じて、要求に係るＷｅｂページのＨＴＭＬ文書を返信する（Ｓ１０２）。プロキシ部１５ａは、受信したＨＴＭＬ文書をＷｅｂブラウザ１３及び連携処理部１５ｂに引き渡す（Ｓ２０４）。Ｗｅｂブラウザ１３は、受信したＨＴＭＬ文書を解釈し、Ｗｅｂページ画面としてディスプレイに表示する（Ｓ３０４）。一方、連携処理部１５ｂは、受信したＨＴＭＬ文書と、貯留部１５ｃに貯留した抽出単語とを照合する（Ｓ４０６）。そして、連携処理部１５ｂは、抽出単語の中でＨＴＭＬ文書に含まれる文字列に一致するものを探し出し、一致した単語のリストを、上記Ｗｅｂページとは別のウインドウで画面表示する（Ｓ４０８；抽出単語表示ステップ）。このような表示により、ユーザは、画面表示された単語のリストから、「検索用キーワード」として使用する単語を選択し、マウスクリックの操作により指定することができる。
【００２６】
ユーザのクリックによる上記「検索用キーワード」の選択・指定がされると、連携処理部１５ｂは、指定された「検索用キーワード」をＨＤＤレコーダ１の制御部７に送信する（Ｓ４１０；キーワード送信ステップ）。そして、制御部７は、受信した「検索用キーワード」と、メタデータ保存部５のメタデータの「抽出単語」項目に含まれる単語とを照合し、「検索用キーワード」に一致する全部のメタデータを、連携処理部１５ｂに返信する（Ｓ５０６）。このように、制御部７は、連携処理部１５ｂからの検索用キーワードに関連する映像コンテンツを検索して、検索された映像コンテンツのメタデータを返信する手段として機能する。そして、連携処理部１５ｂは、図８に一例を示すように、受信したメタデータの「チャプタ内容」のリストを、ディスプレイに一覧表示する（Ｓ４１２）。ユーザは、画面の「検索結果」欄に一覧表示されたチャプタ内容を見て、マウスクリックの操作によって再生したいコンテンツを指定することができる（コンテンツ選択ステップ）。更に、ユーザは、画面上の各操作ボタン１４ａ〜１４ｄをマウスクリックすることで、再生の仕方を指定することもできる。
【００２７】
上記一覧表示からの選択が行われると、連携処理部１５ｂは、選択に係るメタデータの「番組ＩＤ」及び「チャプタＩＤ」（選択情報）を、制御部７に送信する（Ｓ４１４；選択情報送信ステップ）。そして、制御部７は、受信した「番組ＩＤ」及び「チャプタＩＤ」を基にして、再生すべき番組のチャプタを特定し（Ｓ５０８）、該当チャプタを録画番組保存部３から読み出して、このチャプタの映像をテレビ９（図１，図２参照）で頭出し再生する（Ｓ５１０）。このように、制御部７は、連携処理部１５ｂで選択された映像コンテンツのＩＤに対応する映像コンテンツの再生を行う手段として機能する。
【００２８】
次に、図７に示すように、連携処理部１５ｂは、再生されているチャプタに係るメタデータの「関連情報」を、コンピュータ１１のディスプレイに画面表示する（Ｓ４１６）。なお、この「関連情報」を画面表示した画面の一例は、図９に示している。前述したように、メタデータの「関連情報」には、当該チャプタの話題に関係する「関連ＵＲＬ」が含まれているので、画面上にもこの関連ＵＲＬ１６ａが表示されることになる（ＵＲＬ表示ステップ）。この関連ＵＲＬ１６ａの表示には、リンク設定がされており、画面上で関連ＵＲＬ１６ａがマウスクリックされると、連携処理部１５ｂは、Ｗｅｂブラウザ１３を起動する（Ｓ４１８）。そして、Ｗｅｂブラウザ１３は、関連ＵＲＬ１６ａに係るＷｅｂページ要求をプロキシ部１５ａに送出する（Ｓ３１２；Ｗｅｂ情報取得ステップ）。その後、ＨＤＤレコーダ１及びコンピュータ１１では、前述したＳ２０２以降の処理が再び繰り返され、上記関連ＵＲＬに対応するＷｅｂページ画面が表示される。
【００２９】
以上説明したようなＨＤＤレコーダ１及びコンピュータ１１の一連の処理によれば、ユーザが、興味のあるＷｅｂサイトを閲覧しているだけで、当該Ｗｅｂサイトに登場する単語の中の一部が、自動的に検索用キーワードの候補として画面上にリストアップされることになる（Ｓ４０８）。従って、ユーザは、画面にリストアップされた単語の中から、適切な検索用キーワードを選択し簡単な操作により指定する（Ｓ４１０）ことができるので、ユーザは、検索用キーワードを考えたり入力したりする手間を省略することができる。
【００３０】
そして、検索用キーワードが指定されると（Ｓ４１０）、当該検索用キーワードを含むチャプタの「チャプタ内容」が画面に一覧表示され（Ｓ４１２；図８参照）、ユーザは、一覧表示の中から興味のあるものを選択して再生させる（Ｓ５１０）ことができるので、ユーザは、ＨＤＤレコーダ１に蓄積された興味のある映像コンテンツに簡易にアクセスすることができる。すなわち、ユーザは、Ｗｅｂページの情報だけでなく、ＨＤＤレコーダ１内に関連する録画番組があれば、同時に関連映像も見ることができ、より充実した情報収集が可能となる。
【００３１】
また、ユーザは、自分の興味に合致する映像シーンを、「早送り」などの機能で探す手間や、キーワードを入力する手間をかけずに、興味のある映像を簡単に探して見ることができる。そして、大量の録画番組がＨＤＤレコーダ１内に存在する場合にも、従来のように興味に合致する映像シーンを探しきれずに見逃すといったことがほとんどなくなる。
【００３２】
また、上記頭出し再生中には、コンピュータ１１のディスプレイ上に、再生中の映像コンテンツに関連する関連ＵＲＬ１６ａが表示され（Ｓ４１８；図９参照）、当該関連ＵＲＬへのリンクが張られている。従って、ユーザは、関連ＵＲＬ１６ａの表示をクリックするだけで、再生中の映像コンテンツに関連する新たなＷｅｂページを表示させることができる。
【００３３】
図１０に示すように、以上のような一連の流れを繰り返すことで、Ｗｅｂ情報が取得され（Ｓ９０２）、閲覧中のＷｅｂ情報画面１３ａにおいてリンクが張られた検索用キーワード（例えば、”ＡＢＣ”や”ＣＤＦ”等）がクリックされると（Ｓ９０４）、検索用キーワードに関連する映像コンテンツがテレビ９で再生される（Ｓ９０６）。それと同時に映像コンテンツの関連ＵＲＬがコンピュータ１１に送られて（Ｓ９０８）リンクが張られた状態で表示され、関連ＵＲＬのクリックにより、次のＷｅｂ情報１３ｂが取得される（Ｓ９１０）。Ｗｅｂ情報１３ｂが表示されると、再び、リンクが張られた検索用キーワード（例えば、”ＧＨＩ”等）をクリックする手順から繰り返すことができる。
【００３４】
すなわち、このＨＤＤレコーダ１及びコンピュータ１１においては、Ｗｅｂ情報取得→Ｗｅｂ情報に関連する映像コンテンツ再生→映像コンテンツに関連するＷｅｂ情報取得→Ｗｅｂ情報に関連する映像コンテンツ再生→・・・、といったような映像コンテンツに関連する情報の連鎖ができる。これにより、情報のリンクを辿って関連情報を収集する従来のＷｅｂサーフィン機能に、ＨＤＤレコーダ１に蓄積された映像シーン検索・再生機能を組み合わせて、Ｗｅｂ情報と関連映像による付加価値が高い情報収集機能をユーザに提供することができる。
【００３５】
本発明は、前述した実施形態に限定されるものではない。例えば、上記Ｓ４０８の処理においては、Ｗｅｂページを示すウインドウとは別のウインドウで一致した単語のリストを画面表示することとしているが、これに代えて、Ｗｅｂブラウザ１３のウインドウに表示されるＷｅｂページ上にて、一致した単語の色を変える、若しくは、一致した単語の文字をドラッグ等により反転表示させ、マウスの右クリックで、ＨＤＤレコーダ１の映像コンテンツとリンクしたキーワードであることを示すと同時に、関連した映像コンテンツを呼び出す機能が選択できるメニューを表示させることとしてもよい。また、Ｓ５１０の処理における再生は、テレビ９ではなく、コンピュータ１１のディスプレイ上で行ってもよい。この場合、家庭内ネットワークＮ１を介しＤＬＮＡにより、再生に係る映像データがＨＤＤレコーダ１からコンピュータ１１へ配信され、コンピュータ１１の動画再生アプリケーションによって再生される。
【符号の説明】
【００３６】
１…ＨＤＤレコーダ（録画再生装置）、３…録画番組保存部（映像コンテンツ保存部）、５…メタデータ保存部、１１…コンピュータ（情報処理装置）、１３…Ｗｅｂブラウザ、１５…情報処理部。
【図１】
0005658212.tif 000002
【図２】
0005658212.tif 000003
【図３】
0005658212.tif 000004
【図４】
0005658212.tif 000005
【図５】
0005658212.tif 000006
【図６】
0005658212.tif 000007
【図７】
0005658212.tif 000008
【図８】
0005658212.tif 000009
【図９】
0005658212.tif 000010
【図１０】
0005658212.tif 000011